(57)【要約】      （修正有）【課題】球形等の立体的で意匠性に優れる形態の氷片を棒体に一体に形成できるようにする。【解決手段】第１の底部３１の周囲から第１の周壁３２が一体に立ち上げ形成され、第１の底部３１上面に第１の製氷用凹部３３が形成されてなる下側部材３と、第２の底部５１の嵌設配置に際して前記第１の製氷用凹部３３に相対する位置に、第１の製氷用凹部３３と一体となって製氷用空間６０を形成する第２の製氷用凹部５３がその上端位置を第２の周壁５２の上端位置より上方に突出することがないように形成され、かつ、第２の製氷用凹部５３を形成する部位の上部に製氷用空間６０を外部空間に連通する連通穴５７が設けられた上側部材５と、連通穴５７を貫通可能で、その上端７１側を外方に残す状態で連通穴５７を通して製氷用空間６０内に挿入配置される棒体７とを備えてなる製氷具。【選択図】図３
0003126406.tif 000002
【実用新案登録請求の範囲】
【請求項１】
第１の底部の周囲から第１の周壁が一体に立ち上げ形成され、前記第１の底部上面に第１の製氷用凹部が形成されてなる下側部材と、
第２の底部の周囲から第２の周壁が一体に立ち上げ形成されて前記下側部材に上方から嵌設配置されるものであり、前記第２の底部の前記嵌設配置に際して前記第１の製氷用凹部に相対する位置に、前記第１の製氷用凹部と一体となって製氷用空間を形成する第２の製氷用凹部がその上端位置を前記第２の周壁の上端位置より上方に突出することがないように形成され、かつ、前記第２の製氷用凹部を形成する部位の上部に前記製氷用空間を外部空間に連通する連通穴が設けられた上側部材と、
前記連通穴を貫通可能で、その上端側を外方に残す状態で前記連通穴を通して前記製氷用空間内に挿入配置される棒体と、
を備えてなることを特徴とする製氷具。
【考案の詳細な説明】
【技術分野】
【０００１】  この考案は、氷片を棒体に一体に形成する製氷具に関する。
【背景技術】
【０００２】  最近では家庭においても冷凍庫を用いてのアイスクリーム、アイスキャンデーの製造が汎く行われるようになっている。アイスキャンデーの製造に際しては食べる際に持つ部分となるバー（棒体）を氷片内に埋設する必要があり、従来では上部が開放する製氷具の型内にバーを立設した状態において液体を流し込み製氷を行っている。
【考案の開示】
【考案が解決しようとする課題】
【０００３】  したがって、従来においては、バーは必ず得られる氷片の平面部分から突出する状態となり、氷片を球形（図４参照）等の立体的で意匠性に優れるものとすることはできなかった。【０００４】  この考案では、球形等の立体的で意匠性に優れる形態の氷片を棒体に一体に形成可能な製氷具を提供することを目的とする。
【課題を解決するための手段】
【０００５】  この考案では、第１の底部の周囲から第１の周壁が一体に立ち上げ形成され、前記第１の底部上面に第１の製氷用凹部が形成されてなる下側部材と、第２の底部の周囲から第２の周壁が一体に立ち上げ形成されて前記下側部材に上方から嵌設配置されるものであり、前記第２の底部の前記嵌設配置に際して前記第１の製氷用凹部に相対する位置に、前記第１の製氷用凹部と一体となって製氷用空間を形成する第２の製氷用凹部がその上端位置を前記第２の周壁の上端位置より上方に突出することがないように形成され、かつ、前記第２の製氷用凹部を形成する部位の上部に前記製氷用空間を外部空間に連通する連通穴が設けられた上側部材と、前記連通穴を貫通可能で、その上端側を外方に残す状態で前記連通穴を通して前記製氷用空間内に挿入配置される棒体と、を備えてなることを特徴とする製氷具を提供する。【０００６】  上記構成によれば、下側部材内に上側部材を嵌設し、製氷用空間内それぞれに棒体を立設配置し、上側部材の上面の凹み部分に製氷用の液体を注入して連通穴を通して製氷用空間内に液体を充填し、冷凍することで製氷用空間内の液体の製氷がなされ、下側部材内から上側部材を取り外し、棒体を下側部材から取り外すことで製氷用空間の形態と同形態の氷片が棒体と一体として得られる。製氷用空間を適宜立体形状に設計することで、球形等の立体的で意匠性に優れる氷片が棒体に一体に形成される。このようにして得られる棒体を一体とする氷片は、そのままアイスキャンデーとされてもよく、また、実施形態におけるようにマドラー構成部材等として用いられてもよい。
【考案の効果】
【０００７】  この考案の製氷具によれば、家庭等において容易に球形等の立体的で意匠性に優れる形態の氷片を棒体に一体に形成できるようになる。
【考案を実施するための最良の形態】
【０００８】  図１はこの考案の製氷具の外観斜視図、図２は同分解斜視図、図３は同断面図である。【０００９】  製氷具１は全体がプラスチックス製で、下側部材３と、下側部材３に上方から嵌設配置される上側部材５と、棒体７それぞれとからなる。【００１０】  下側部材３は底部３１（第１の底部）の周囲から周壁３２（第１の周壁）が一体に立ち上げ形成され、底部３１上面に６個の半球状の製氷用凹部３３（第１の製氷用凹部）が形成されている。製氷用凹部３３それぞれの底面には棒体７の立設部３５のそれぞれが形成されている。【００１１】  上側部材５は底部５１（第２の底部）の周囲から周壁５２（第２の周壁）が一体に立ち上げ形成され、底部５１下面に６個の半球状の製氷用凹部５３（第２の製氷用凹部）が形成されている。上記製氷用凹部５３のそれぞれは、上側部材５が下側部材３に上方から嵌設配置された際製氷用凹部３３それぞれに相対する位置に設けられ、これにより製氷用凹部３３と製氷用凹部５３とが一体となって球形の製氷用空間６０それぞれを形成するようになっている。また、上側部材５の製氷用凹部５３の形成部それぞれの上端位置は第２の周壁５２の上端位置より若干低く位置し、その部分には上方外部空間に連通する連通穴５７が設けられている。【００１２】  棒体７のそれぞれは上端７１側にネジが切られ、下端７２側が細く形成され、中間部に球形の膨らみ部７４を備えている。棒体７はその最大径が上記上側部材５の連通穴５７より若干小さいことで連通穴５７を貫通可能で、その上端７１側を外方に残す状態で連通穴５７を通して製氷用空間６０内に挿入配置され、かつ、その下端７２が下側部材３の製氷用凹部３３底面の立設部３５に差し入れられて立設される。【００１３】  以下、上記製氷具１の使用について説明する。まず、図１、図３に示すように下側部材３内に上側部材５を嵌設し、形成される製氷用空間６０内それぞれに棒体７のそれぞれを立設配置する。棒体７の立設は、下側部材３に上側部材５を嵌設するに先立って行ってもよく、また、嵌設した後に上側部材５の連通穴５７を通して行ってもよい。次に上側部材５の上面の凹み開口５９内に水を十分に注入して上側部材５の製氷用凹部５３の形成部それぞれの上端位置が覆われるレベルまで水を満たす。これにより、それぞれの連通穴５７を介して水が導入されることでそれぞれの製氷用空間６０内には水が充填され、この状態において冷凍庫内に所定時間置かれることで製氷がなされる。【００１４】  製氷完了後には、まず、若干の力をかけることで下側部材３内から上側部材５を持ち上げて取り外す。この取り出しは、棒体７がその最大径を連通穴５７の径より若干小さくしていることで棒体７が連通穴５７を支障なく通過して可能となる。次に、棒体７を上方に引き抜くようにしてその下端７２を立設部３５から離脱させて球形の氷片１００を一体に下側部材３から取り外す。氷片１００は抜け止め機能を発揮する膨らみ部７４部分を覆うように位置して棒体７に安定して付設される。【００１５】  この実施形態では、図４に示すように、棒体７を洋酒等を混ぜるマドラー９０の下部材としており、棒体７の上端に主部９１を連結することで、先端に球形の氷片１００が一体に付いた��ドラー９０が得られる。このマドラー９０は洋酒等を冷やしながら混ぜることができ、また、バーやスナック等において楽しく使用できるものである。
【図面の簡単な説明】
【図１】  この考案の製氷具の実施形態の外観斜視図
【図２】  この考案の製氷具の実施形態の分解斜視図
【図３】  この考案の製氷具の実施形態の断面図
【図４】  この考案の製氷具によって得られる氷片を一体とするマドラーの外観斜視図
【符号の説明】
１    製氷具
３    下側部材
５    上側部材
７    棒材
３１  底部（第１の底部）
３２  周壁（第１の周壁）
３３  製氷用凹部（第１の製氷用凹部）
５１  底部（第２の底部）
５２  周壁（第１の周壁）
５３  製氷用凹部（第２の製氷用凹部）
５７  連通穴
６０  製氷用空間
【図１】
0003126406.tif 000003
【図２】
0003126406.tif 000004
【図３】
0003126406.tif 000005
【図４】
0003126406.tif 000006